(57)【要約】  【課題】  安定した接続状態が実現でき、しかも意図した時に品質を損なうことなくその接続を簡単に解くことができる冷陰極管端子の接続構造を提供する。  【解決手段】  冷陰極管１の端面から突出した針状の冷陰極管端子２は、先端部分が鉤状に折り曲げられて鉤状部２ａが形成されている。給電線３の先端部分には輪状部３ａが形成されている。冷陰極管端子２の鉤状部２ａが給電線３の輪状部３ａに引掛けられて、はんだ付けにより接合される。【選択図】      図１
2005347049.tif 000002
【特許請求の範囲】
【請求項１】
液晶パネルの照明用光源として液晶表示装置に搭載される冷陰極管の端面から突出した
針状の冷陰極管端子と、給電線の先端部分で形成された輪状部と、を電気的に接続する接
続構造であって、
前記冷陰極管端子の先端部分が前記輪状部内に挿し込まれて、はんだ付けにより接合さ
れ、前記給電線に予め挿入した弾性変形可能で絶縁性を有するゴム製の筒状部材を前記給
電線に沿ってスライドさせることにより、はんだ付けで接合された前記冷陰極管端子と前
記輪状部とが前記筒状部材内に収納され、前記冷陰極管が前記液晶表示装置の本体に対し
前記筒状部材で支持される冷陰極管端子の接続構造において、
前記冷陰極管端子の先端部分が鉤状に折り曲げられており、この鉤状部が前記輪状部に
引掛けられて、はんだ付けにより接合され、前記給電線に予め挿入した弾性変形可能で絶
縁性を有するゴム製の筒状部材を前記給電線に沿ってスライドさせることにより、はんだ
付けで接合された前記冷陰極管端子と前記輪状部とが前記筒状部材内に収納され、前記冷
陰極管が前記液晶表示装置の本体に対し前記筒状部材で支持されることを特徴とする冷陰
極管端子の接続構造。
【請求項２】
冷陰極管の端面から突出した針状の冷陰極管端子と、給電線の先端部分で形成された輪
状部と、を電気的に接続する接続構造において、
前記冷陰極管端子の先端部分が鉤状に折り曲げられており、この鉤状部が前記輪状部に
引掛けられて、はんだ付けにより接合されたことを特徴とする冷陰極管端子の接続構造。
【請求項３】
前記給電線に予め挿入した弾性変形可能で絶縁性を有する筒状部材を前記給電線に沿っ
てスライドさせることにより、はんだ付けで接合された前記冷陰極管端子と前記輪状部と
が前記筒状部材内に収納されたことを特徴とする請求項２に記載の冷陰極管端子の接続構
造。
【請求項４】
前記冷陰極管が液晶パネルの照明用光源として液晶表示装置に搭載されるものであって
、この液晶表示装置の本体に対し前記筒状部材で支持されることを特徴とする請求項３に
記載の冷陰極管端子の接続構造。
【発明の詳細な説明】
【技術分野】
【０００１】
本発明は、冷陰極管の有する冷陰極管端子と、電力供給源に接続された給電線との接続
構造に関する。
【背景技術】
【０００２】
液晶テレビやパーソナルコンピュータや携帯電話機等の表示画面として利用される液晶
表示装置には、液晶パネルの照明用光源、例えばバックライト用光源として、冷陰極管が
一般に搭載される。冷陰極管は、例えばアルゴンガスと適量の水銀が封入された細長い管
状のものであって、内壁には蛍光体が塗布され、両端面には、内部の電極に接続された冷
陰極管端子がそれぞれ設けられている。各冷陰極管端子には、電力供給源に接続された給
電線が電気的に接続される。そして、電力供給源より冷陰極管内の電極に給電線及び冷陰
極管端子を通じて高電圧が印加されると、冷陰極管内に放電が生じて紫外線が放射され、
これにより、蛍光体が励起されて液晶パネル照明用の可視光線を発光する。
【０００３】
ここで、従来の冷陰極管端子と給電線との具体的な接続構造（例えば、特許文献１、２
参照）について、図２を参照しながら説明する。図２（ａ）に示すように、素材としての
冷陰極管１０１は、端面から針状の冷陰極管端子１０２が突出している。他方、素材とし
ての給電線１０３は、絶縁体で被覆された縒り線であって、その先端部分がむき出されて
輪状部１０３ａが形成されている（特許文献１参照）。また、この給電線１０３には、適
度な弾性と絶縁性を有した例えばゴム製の筒状部材１０４が挿入されている。
【０００４】
続いて、このような冷陰極管端子１０２と給電線１０３とを接続するわけであるが、先
ず、図２（ｂ）に示すように、冷陰極管端子１０２の先端部分を給電線１０３の輪状部１
０３ａ内に挿し込む。次いで、図２（ｃ）に示すように、その冷陰極管端子１０２の先端
部分と輪状部１０３ａとをはんだ付けし、これにより両者がはんだ１０５で接合される。
【０００５】
なお、このような構成に代え、素材の段階において、冷陰極管１０１については、冷陰
極管端子１０２の先端部分が輪状に折り曲げられたものを準備するとともに、他方の給電
線１０３については、その先端部分が単にむき出しにされたもの、すなわち輪状部１０３
ａを有していないものを準備し、両者の接続段階において、給電線１０３の先端部分を冷
陰極管端子１０２の先端の輪状部に絡げた後、両者をはんだ付けにより接合する場合もあ
る（特許文献２参照）。
【０００６】
その後、図２（ｄ）に示すように、筒状部材１０４を給電線１０３に沿って冷陰極管１
０１に向けスライドさせ、これにより、はんだ付けで接合された冷陰極管端子１０２と輪
状部１０３ａとが筒状部材１０４内に収納される。このようにして接続された冷陰極管１
０１は、液晶表示装置の本体に対し筒状部材１０４で支持される。従って、液晶表示装置
の使用中、仮に液晶表示装置の本体に不用意な振動が生じたとしても、筒状部材１０４に
よってその振動を吸収できるため、冷陰極管１０１が過剰に振動してしまうことはなく、
品位の高い液晶表示が得られる。
【０００７】
なお、筒状部材１０４は、本質的にははんだ接合の接続部分を保護する役割を果たすも
のであり、筒状部材１０４に代えて、そのはんだ接合の接続部分を樹脂キャップで覆った
り（特許文献１参照）、熱収縮チューブで密封したり（特許文献２参照）する場合もある
。但しこの場合は、液晶表示装置に搭載された冷陰極管１０１への振動伝播に対する別途
の防止策が必要となる点で不利である。
【特許文献１】特開２００２−１２４３０８号公報
【特許文献２】特開平９−２３７６４２号公報
【発明の開示】
【発明が解決しようとする課題】
【０００８】
しかし、上記した従来の冷陰極管端子の接続構造では、はんだ接合の接続部分において
、冷陰極管端子１０２の先端部分が給電線１０３の輪状部１０３ａ内に単に挿し込まれた
状態であるため、不用意な負荷によって、冷陰極管端子１０２の先端部分が給電線１０３
の輪状部１０３ａ内から抜けて両者の接続が切れてしまうおそれがあり、両者の安定した
接続状態に不安がある。勿論、上記した別の手法のように、給電線１０３の先端部分が冷
陰極管端子１０２の先端の輪状部に絡げられてはんだ接合される場合は、両者の接続状態
が確実に安定するものの、一旦接合されると、両者の接続を解くこと、すなわちはんだを
溶かしつつ給電線１０３の先端部分の絡げを解くことは極めて困難であり、冷陰極管１０
１の交換作業やリサイクルの際の作業には甚だ不都合である。
【０００９】
そこで本発明は、上記の問題に鑑みてなされたものであり、安定した接続状態が実現で
き、しかも意図した時に品質を損なうことなくその接続を簡単に解くことができる冷陰極
管端子の接続構造を提供することを目的とするものである。
【課題を解決するための手段】
【００１０】
上記目的を達成するため、本発明による冷陰極管端子の接続構造は、冷陰極管の端面か
ら突出した針状の冷陰極管端子と、給電線の先端部分で形成された輪状部と、を電気的に
接続する接続構造において、前記冷陰極管端子の先端部分が鉤状に折り曲げられており、
この鉤状部が前記輪状部に引掛けられて、はんだ付けにより接合されている。これにより
、はんだ接合の接続部分において、冷陰極管端子の先端部分の鉤状部が給電線の輪状部に
引掛けられた状態にあるため、不用意な負荷によって、冷陰極管端子の鉤状部が給電線の
輪状部から抜けて両者の接続が切れてしまうことはない。しかも、冷陰極管の交換やリサ
イクルの際といったように意図した時には、はんだ接合の接続部分におけるはんだを溶か
すことで、冷陰極管端子の鉤状部をそのまま給電線の輪状部から取り外すことができる。
【００１１】
ここで、はんだ接合の接続部分を確実に保護する観点から、前記給電線に予め挿入した
弾性変形可能で絶縁性を有する筒状部材を前記給電線に沿ってスライドさせることにより
、はんだ付けで接合された前記冷陰極管端子と前記輪状部とが前記筒状部材内に収納され
るようになっていることが好ましい。
【００１２】
更に、前記冷陰極管が液晶パネルの照明用光源として液晶表示装置に搭載されるもので
あって、この液晶表示装置の本体に対し前記筒状部材で支持されることが好ましい。これ
により、液晶表示装置の使用中、仮に液晶表示装置の本体に不用意な振動が生じたとして
も、本来はんだ接合の接続部分の保護用としての筒状部材によって、その振動を吸収でき
るため、冷陰極管が過剰に振動してしまうことはなく、品位の高い液晶表示が得られる。
【発明の効果】
【００１３】
本発明の冷陰極管端子の接続構造によれば、はんだ接合の接続部分において、不用意な
負荷によって、冷陰極管端子の鉤状部が給電線の輪状部から抜けて両者の接続が切れてし
まうことはないため、両者の安定した接続状態が実現できる。しかも、意図した時には、
はんだ接合の接続部分におけるはんだを溶かすことで、冷陰極管端子の鉤状部をそのまま
給電線の輪状部から取り外すことができるため、品質を損なうことなくその接続を簡単に
解くことができると言え、冷陰極管の交換やリサイクルに有効である。
【発明を実施するための最良の形態】
【００１４】
以下に、本発明の一実施形態である冷陰極管端子の接続構造について、図面を参照しな
がら詳述する。図１は本発明の一実施形態である冷陰極管端子の接続構造を示す断面図で
あって、同図（ａ）〜（ｄ）の順に工程が進行する。
【００１５】
図１（ａ）に示すように、素材としての冷陰極管１は、端面から針状の冷陰極管端子２
が突出している。この冷陰極管端子２は、その先端部分が鉤状に折り曲げられて鉤状部２
ａが形成されている。ちなみに、この鉤状部２はペンチ等で簡単に形成できる。他方、素
材としての給電線３は、絶縁体で被覆された縒り線であって、その先端部分がむき出され
て輪状部３ａが形成されている。この輪状部３ａの形状は、事前にはんだが塗布されるこ
とで維持されている。また、この給電線３には、適度な弾性と絶縁性を有した例えばゴム
製の筒状部材４が挿入されている。
【００１６】
続いて、このような冷陰極管端子２と給電線３とを接続するわけであるが、先ず、図１
（ｂ）に示すように、冷陰極管端子２の鉤状部２ａを給電線３の輪状部３ａに引掛ける。
次いで、図１（ｃ）に示すように、その鉤状部２ａと輪状部３ａとをはんだ付けし、これ
により両者がはんだ５で接合される。
【００１７】
その後、図１（ｄ）に示すように、筒状部材４を給電線３に沿って冷陰極管１に向けス
ライドさせ、これにより、はんだ付けで接合された冷陰極管端子２と輪状部３ａとが筒状
部材４内に収納される。従って、はんだ接合の接続部分は、筒状部材４で確実に保護でき
る。
【００１８】
このようにして接続された冷陰極管１は、液晶表示装置の本体に対し筒状部材４で支持
される。従って、液晶表示装置の使用中、仮に液晶表示装置の本体に不用意な振動が生じ
たとしても、筒状部材４によってその振動を吸収できるため、冷陰極管１が過剰に振動し
てしまうことはなく、品位の高い液晶表示が得られる。これは、本来はんだ接合の接続部
分の保護用としての筒状部材４を兼用することで実現できることから、部品点数を抑制で
きる点で有利である。
【００１９】
このような冷陰極管端子の接続構造によれば、はんだ接合の接続部分において、冷陰極
管端子２の先端部分の鉤状部２ａが給電線３の輪状部３ａに引掛けられた状態にあるため
、不用意な負荷によって、冷陰極管端子２の鉤状部２ａが給電線３の輪状部３ａから抜け
て両者の接続が切れてしまうことはなく、両者の安定した接続状態が実現できる。しかも
、冷陰極管１の交換やリサイクルの際といったように意図した時には、はんだ接合の接続
部分におけるはんだ５を溶かすことで、冷陰極管端子２の鉤状部２ａをそのまま給電線３
の輪状部３ａから取り外すことができる。つまり、品質を損なうことなくその接続を簡単
に解くことができると言え、冷陰極管１の交換やリサイクルに有効である。
【００２０】
なお、本発明は上記の実施形態に限定されず、本発明の趣旨を逸脱しない範囲で、種々
の変更が可能である。
【産業上の利用可能性】
【００２１】
本発明は、冷陰極管の有する冷陰極管端子と、電力供給源に接続された給電線との接続
に有用である。
【図面の簡単な説明】
【００２２】
【図１】本発明の一実施形態である冷陰極管端子の接続構造を示す断面図である。
【図２】従来の冷陰極管端子の接続構造を示す断面図である。
【符号の説明】
【００２３】
１    冷陰極管
２    冷陰極管端子
２ａ    鉤状部
３    給電線
３ａ    輪状部
４    筒状部材
５    はんだ
【図１】
2005347049.tif 000003
【図２】
2005347049.tif 000004